(57)【要約】【課題】ヒンジ部が外部に露出せず外観に優れ、ヒンジピンの抜け止めのための別部材も不要なヒンジ止め式の電気機器収納用箱を提供する。【解決手段】電気機器収納用箱のボディー内壁４とボディー端面５との間に溝部６を設ける。この溝部６に向けてボディー側から第１ヒンジ部７を突設し、ドア側から第２ヒンジ部８を突設して、溝部６の内部でヒンジピン９を挿入する。溝部６の側壁または底面にヒンジピンの抜け止め用突起１２を一体に形成する。ドア２を閉じるとヒンジ部が外部から見えず、抜け止めのための別部材も不要となる。【選択図】    図１
2006230153.tif 000002
【特許請求の範囲】
【請求項１】
ボディー内壁とボディー端面との間に溝部を設け、この溝部にドア側から突設された第２ヒンジ部に対応する第１ヒンジ部を形成して溝部内部でヒンジピンを挿入するとともに、この溝部の側壁または底面にヒンジピンの抜け止め用突起を形成したことを特徴とする電気機器収納用箱。
【請求項２】
ボディー及びドアを樹脂製とし、ヒンジピンの抜け止め用突起を溝部と一体成形したことを特徴とする請求項１に記載の電気機器収納用箱。
【発明の詳細な説明】
【技術分野】
【０００１】
本発明は、電気機器が収納されるボディーの前面にドアをヒンジ止めした電気機器収納用箱に関するものである。
【背景技術】
【０００２】
樹脂製の電気機器収納用箱は一般に、電気機器が収納されるボディーの前面にドアをヒンジ止めした構造となっている。この場合、ボディーとドアにそれぞれヒンジ部を一体形成しておき、ボディーの外側で両部分を重ねてヒンジピンにより軸支させているのが普通であるが、ヒンジ部が外部に突出して外観が悪いという問題があった。
【０００３】
そこで特許文献１に示されるように、ボディーの外周に突設されたヒンジ部をドアで覆い、正面から見たときにヒンジ部が見えないようにした構造のものもある。しかしこの特許文献１に示されるヒンジ部においてもヒンジピンが外部に露出し外観が悪いうえ、ヒンジピンの抜け止めのための別部材が必要となり、部品点数が増加してコストアップに繋がるという問題があった。
【特許文献１】特開平９―２０４８６９号公報（図６、図１１）
【発明の開示】
【発明が解決しようとする課題】
【０００４】
本発明は上記した従来の問題点を解決し、ヒンジピンを含むヒンジ部が外部に露出することがなく、ヒンジピンの抜け止めのための別部材も不要なヒンジ止め式の電気機器収納用箱を提供するためになされたものである。
【課題を解決するための手段】
【０００５】
上記の課題を解決するためになされた本発明は、ボディー内壁とボディー端面との間に溝部を設け、この溝部にドア側から突設された第２ヒンジ部に対応する第１ヒンジ部を形成して溝部内部でヒンジピンを挿入するとともに、この溝部の側壁または底面にヒンジピンの抜け止め用突起を形成したことを特徴とするものである。
なお、ボディー及びドアを樹脂製とし、ヒンジピンの抜け止め用突起を溝部と一体成形した構造とすることが好ましい。
【発明の効果】
【０００６】
本発明の電気機器収納用箱は、ボディーの前面側の端面とボディー内壁との間に設けた溝の内部にヒンジ部及びヒンジピンを収納したので、ヒンジ部が外部から見えず外観がよい。また溝部の側壁または底面にヒンジピンの抜け止め用突起を一体に成形したので、抜け止めのための別部材が不要であってコストダウンとなるうえ、溝部がヒンジピンを挿入するときのガイドとなるので、ヒンジ部の組み立て性が向上する利点がある。
【発明を実施するための最良の形態】
【０００７】
以下に本発明の好ましい実施形態を説明する。
図１は本発明の実施形態を示す斜視図、図２は要部の拡大分解斜視図、図３は要部の分解斜視図、図４はドアを開いた状態の分解斜視図である。
これらの図において、１は内部に電気機器である配線用遮断器２が収納される箱状のボディーであり、３はその前面を覆うドアである。これらのボディー１とドア３はともに樹脂成形品とすることが好ましい。
【０００８】
ボディー１の前面は、ボディー内壁４の外周に全周にわたりボディー端面５を張出し、ボディー内壁４とボディー端面５との間に溝部６を形成した構造となっている。この実施形態では、ボディー内壁４の端面はボディー端面５よりもドア３側に突出した位置にある。図２に示すように、ボディー１側からこの溝部６に向かって略円筒状の第１ヒンジ部７が突設されている。第１ヒンジ部７はボディー１と一体成形されたもので、この実施形態では両側に補強用のリブが設けられている。この第１ヒンジ部７には、溝部６内に置かれたヒンジピン９をスライドさせて通せる位置に、中心孔１０が形成されている。
【０００９】
またドア３の端部の裏面には、第２ヒンジ部８が突設されている。この第２ヒンジ部８はボディー１の第１ヒンジ部７に対応するもので、第１ヒンジ部７の中心孔１０と一致する中心孔１１を備えており、溝部６の内部でヒンジピン９をスライドさせて挿入することにより、ドア３をボディー１に開閉自在に枢着できる構造となっている。
【００１０】
また、溝部６の側壁または底面にはヒンジピン９の抜け止め用突起１２が形成されている。この実施形態では、図５、図６に示すように、抜け止め用突起１２は溝部６の側壁に一体成形されている。抜け止め用突起１２はヒンジピン９が挿入される側に斜面１３を設け、反対面は垂直面１４として、一度挿入されたヒンジピン９が脱落しにくい構造となっている。
【００１１】
このように構成された本発明の電気機器収納用箱は、第１のヒンジ部７、第２のヒンジ部８及びヒンジピン９を溝部６に収納したので、ドア３を閉じた状態ではこれらが外部から見えず、またヒンジピン９は内部に封入されるので、美観がよくなる。また溝部６に沿ってヒンジピン９を単にスライドさせるだけで確実にヒンジ部７、８の中心孔１０、１１に挿入できるので、組み立て性が向上する。さらにヒンジピン９の抜け止め用突起１２を溝部６に一体に形成したので、抜け止めのための別部材が不要となる。
【００１２】
なお、図７に示されるようにボディー１の下部のコンセントカバー当接部１５を凹形状にし、その外周を凸部１６で覆う構造としておけば、屋外の設置した場合にも上部から流れ落ちる水がコンセントカバー当接部１５から内部に浸入することを防ぐことができ、パッキンなしで防水性を確保することができる。この構造とすればパッキン等の別部材が必要なくなり、安価となるうえに組み立て性も向上する。
【００１３】
また、この実施形態では図８に示すようにドア３の表面に配線用遮断器２の状態を見るための小窓２０が設けられているが、その断面は図１０のようになっており、上部及び側面部に排水溝２１が形成されている。小窓２０の下部は図８、図９に示されるような円弧形状となっており、排水溝２１に流入した水を下部に集めるようになっている。小窓２０の表面は図９、図１０に示されるような表面板２２で覆われており、上記した円弧形状の最下部に対応する位置に排水孔２３が形成されている。
【００１４】
このような構造としたので、小型の排水孔２３を１個形成するだけでよく外観に優れるうえ、パッキンなしで防水性を確保することができ、組み立ても容易である。なお小窓２０は開閉式としても、パッキンを設けたものとしてもよい。
【図面の簡単な説明】
【００１５】
【図１】本発明の実施形態を示す斜視図である。
【図２】本発明の実施形態の要部を示す拡大分解斜視図である。
【図３】本発明の実施形態の要部を示す分解斜視図である。
【図４】ドアを開いた状態の分解斜視図である。
【図５】ピンジピンの挿入途中の状態を示す断面図である。
【図６】ピンジピンの挿入完了状態を示す断面図である。
【図７】本発明の他の実施形態を示す断面図である。
【図８】小窓の斜視図である。
【図９】表面板を取付けた小窓の形状を示す斜視図である。
【図１０】小窓部分の断面図である。
【符号の説明】
【００１６】
１  ボディー
２  配線用遮断器
３  ドア
４  ボディー内壁
５  ボディー端面
６  溝部
７  第１ヒンジ部
８  第２ヒンジ部
９  ヒンジピン
１０  中心孔
１１  中心孔
１２  抜け止め用突起
１３  斜面
１４  垂直面
１５  コンセントカバー当接部
１６  凸部
１７  コンセントカバー
２０  小窓
２１  排水溝
２２  表面板
２３  排水孔
【図１】
2006230153.tif 000003
【図２】
2006230153.tif 000004
【図３】
2006230153.tif 000005
【図４】
2006230153.tif 000006
【図５】
2006230153.tif 000007
【図６】
2006230153.tif 000008
【図７】
2006230153.tif 000009
【図８】
2006230153.tif 000010
【図９】
2006230153.tif 000011
【図１０】
2006230153.tif 000012